(57)【要約】  本開示の一態様によるターゲット生成装置（２６）は、フィルタ構造体（１１０，１１０Ａ，１１０Ｂ，１２０，１３０，１５０，１６０）と、前記フィルタ構造体を収容し、内部に前記フィルタ構造体を通過する流路が存在するフランジ（３０１）と、内部に前記フランジ内の前記流路と連通し且つ所定のターゲット材料が貯留される空間が存在するタンク部（２６０）と、前記フランジに設けられ、前記フランジ内の前記流路を介して前記タンク部内の前記空間と連通するノズル部（２６６）と、を備えてもよい。本開示の一態様によるフィルタ構造体は、ポーラス材からなるフィルタ（１１１，１２１，１２１Ａ，１２１Ｂ，１３１，１５１）と、前記フィルタと一体化されたソケット（１１５，１２６，１４４，１５４）と、を備えてもよい。
2016071972.tif 000002
【特許請求の範囲】
【請求項１】
ポーラス材からなるフィルタ（１１１，１２１，１２１Ａ，１２１Ｂ，１３１，１５１）と、
前記フィルタと一体化されたソケット（１１５，１２６，１４４，１５６）と、
を備えるフィルタ構造体（１１０，１１０Ａ，１１０Ｂ，１２０，１３０，１５０，１６０）。
【請求項２】
前記フィルタと前記ソケットとは、熱接合により一体化されている、請求項１に記載のフィルタ構造体。
【請求項３】
前記フィルタと前記ソケットとは、ガラス接着により一体化されている、請求項１に記載のフィルタ構造体。
【請求項４】
前記ソケットは、前記フィルタに溶射されることで一体化されている、請求項１に記載のフィルタ構造体。
【請求項５】
前記フィルタと前記ソケットとは、略等しい熱膨張係数を持つ材料で構成されている、請求項１に記載のフィルタ構造体。
【請求項６】
前記フィルタと前記ソケットとは、同じ材料から構成されている、請求項１に記載のフィルタ構造体。
【請求項７】
前記フィルタは、アルミナで構成され、
前記ソケットは、アルミナの緻密体あるいはサファイアの単結晶で構成されている、
請求項１に記載のフィルタ構造体。
【請求項８】
前記ソケットは、モリブデンおよびタングステンのうち少なくともいずれかを含む材料で形成され、
前記フィルタは、酸化アルミニウム・二酸化ケイ素系ガラスを骨格とするガラス多孔体で構成されている、
請求項１に記載のフィルタ構造体。
【請求項９】
前記フィルタは、孔径が異なる複数の層（１１２，１１２ａ，１１２ｂ，１１３，１１３ａ，１１３ｂ，１１４，１１４ａ，１１４ｂ，１２３，１２３ａ，１２３ｂ，１２４，１２４ａ，１２４ｂ，１２５，１２５ａ，１２５ｂ，１３３，１３４，１３５）を含む積層体である、請求項１に記載のフィルタ構造体。
【請求項１０】
前記複数の層のうち、積層方向における一方の側に位置する層の孔径が最も大きく、前記積層方向における他方の側に位置する層の孔径が最も小さい、請求項９に記載のフィルタ構造体。
【請求項１１】
前記フィルタは、孔径が異なる複数のフィルタ（１５２，１５３，１５４）が重ねられた積層体である、請求項１に記載のフィルタ構造体。
【請求項１２】
前記フィルタは、円盤形状を有する、請求項１に記載のフィルタ構造体。
【請求項１３】
前記フィルタは、ドーム形状を有する、請求項１に記載のフィルタ構造体。
【請求項１４】
前記フィルタは、長手方向の両端で開口する中空形状を有し、
前記長手方向の一方の端の開口を封止するキャップ（１２２）をさらに備え、
前記ソケットは、前記長手方向の他方の端に設けられている、
請求項１に記載のフィルタ構造体。
【請求項１５】
前記フィルタの前記長手方向と垂直方向の断面形状は、円形状である、請求項１４に記載のフィルタ構造体。
【請求項１６】
前記フィルタの前記長手方向と垂直方向の断面形状は、多角形状または鋸歯形状である、請求項１４に記載のフィルタ構造体。
【請求項１７】
ポーラス材からなるフィルタ（１１１，１２１，１２１Ａ，１２１Ｂ，１３１，１５１）と、前記フィルタと一体化されたソケット（１１５，１２６，１４４，１５６）とを含むフィルタ構造体と、
前記フィルタ構造体を収容し、内部に前記フィルタ構造体を通過する流路が存在するフランジ（３０１）と、
内部に前記フランジ内の前記流路と連通し且つ所定のターゲット材料が貯留される空間が存在するタンク部（２６０）と、
前記フランジに設けられ、前記フランジ内の前記流路を介して前記タンク部内の前記空間と連通するノズル部（２６６）と、
を備える、ターゲット生成装置。
【請求項１８】
前記フィルタは、孔径が異なる複数の層を含む積層体であり、
前記フランジは、前記フィルタの積層方向が前記フランジ内の前記流路の延在方向と実質的に一致するように、前記フィルタを保持し、
前記複数の層のうち、前記流路に沿って最も前記タンク部側に位置する層の孔径が最も大きく、前記流路に沿って最も前記ノズル部側に位置する層の孔径が最も小さい、
請求項１７に記載のターゲット生成装置。
【請求項１９】
ポーラス材からなるフィルタを備えたフィルタ構造体の製造方法であって、
一部にマスキング材が形成された前記フィルタを重ねて配置する工程と、
前記マスキング材が形成された前記フィルタの周囲に前記フィルタと熱膨張係数が略等しい材料（１００８）を溶射する工程と、
前記材料を加工して前記マスキング材の一部を露出させる工程と、
前記マスキング材を除去する工程と、
を含む、製造方法。
【発明の詳細な説明】
【技術分野】
【０００１】
本開示は、フィルタ構造体、ターゲット生成装置およびフィルタ構造体の製造方法に関する。
【背景技術】
【０００２】
近年、半導体プロセスの微細化に伴って、半導体プロセスの光リソグラフィにおける転写パターンの微細化が急速に進展している。次世代においては、６０ｎｍ〜４５ｎｍの微細加工、さらには３２ｎｍ以下の微細加工が要求されるようになる。このため、例えば３２ｎｍ以下の微細加工の要求に応えるべく、波長１３ｎｍ程度の極端紫外（ＥＵＶ）光を生成するための装置と縮小投影反射光学系とを組み合わせた露光装置の開発が期待されている。【０００３】
ＥＵＶ光生成装置としては、ターゲット物質にレーザ光を照射することによって生成されるプラズマを用いられるＬＰＰ（Ｌａｓｅｒ  Ｐｒｏｄｕｃｅｄ  Ｐｌａｓｍａ）式の装置と、放電によって生成されるプラズマを用いられるＤＰＰ（Ｄｉｓｃｈａｒｇｅ  Ｐｒｏｄｕｃｅｄ  Ｐｌａｓｍａ）式の装置と、軌道放射光を用いられるＳＲ（Ｓｙｎｃｈｒｏｔｒｏｎ  Ｒａｄｉａｔｉｏｎ）式の装置との３種類の装置が提案されている。
【先行技術文献】
【特許文献】
【０００４】
【特許文献１】特許第４８５４０２４号公報
【特許文献２】特開２０１３−１４０７７１号公報
【特許文献３】特表２００８−５３２２２８号公報
【特許文献４】米国特許出願公開第２００４／００７１２６６号明細書
【概要】
【０００５】
本開示の一態様によるフィルタ構造体（１１０，１１０Ａ，１１０Ｂ，１２０，１３０，１５０，１６０）は、ポーラス材からなるフィルタ（１１１，１２１，１２１Ａ，１２１Ｂ，１３１，１５１）と、前記フィルタと一体化されたソケット（１１５，１２６，１４４，１５６）と、を備えてもよい。
【０００６】
本開示の他の態様によるターゲット生成装置（２６）は、上述のフィルタ構造体と、前記フィルタ構造体を収容し、内部に前記フィルタ構造体を通過する流路が存在するフランジ（３０１）と、内部に前記フランジ内の前記流路と連通し且つ所定のターゲット材料が貯留される空間が存在するタンク部（２６０）と、前記フランジに設けられ、前記フランジ内の前記流路を介して前記タンク部内の前記空間と連通するノズル部（２６６）と、を備えてもよい。
【０００７】
本開示のさらに他の態様によるフィルタ構造体の製造方法は、ポーラス材からなるフィルタを備えたフィルタ構造体の製造方法であって、一部にマスキング材が形成された前記フィルタを重ねて配置する工程と、前記マスキング材が形成された前記フィルタの周囲に前記フィルタと熱膨張係数が略等しい材料（１００８）を溶射する工程と、前記材料を加工して前記マスキング材の一部を露出させる工程と、前記マスキング材を除去する工程と、を含んでもよい。
【図面の簡単な説明】
【０００８】
本開示のいくつかの実施形態を、単なる例として、添付の図面を参照して以下に説明する。
【図１】図１は、例示的なＬＰＰ式のＥＵＶ光生成システムの構成例を概略的に示す図である。
【図２】図２は、図１に示すターゲット供給部を含むターゲット生成装置の概略構成例を示す模式図である。
【図３】図３は、フィルタ部の概略構成例を示す断面図である。
【図４】図４は、実施形態１にかかるフィルタ部の概略構成例を示す断面図である。
【図５】図５は、実施形態１の第１変形例にかかるフィルタ積層体の概略構成例を示す断面図である。
【図６】図６は、実施形態１の第２変形例にかかるフィルタ積層体の概略構成例を示す断面図である。
【図７】図７は、実施形態２にかかるフィルタ部の概略構成例を示す断面図である。
【図８】図８は、図７に示すフィルタ構造体の概略構成例を示す斜視図である。
【図９】図９は、図８に示すフィルタ構造体におけるフィルタ積層体を内部空間の延在方向に対して垂直な面で輪切りにした際の断面構造を示す図である。
【図１０】図１０は、実施形態２の第１変形例にかかるフィルタ積層体を内部空間の延在方向に対して垂直な面で輪切りにした際の断面形状を示す図である。
【図１１】図１１は、実施形態２の第２変形例にかかるフィルタ積層体を内部空間の延在方向に対して垂直な面で輪切りにした際の断面形状を示す図である。
【図１２】図１２は、実施形態３にかかるフィルタ部の概略構成例を示す断面図である。
【図１３】図１３は、図１２に示すフィルタ部におけるフィルタ積層体を内部空間の延在方向に対して垂直な面で輪切りにした際の断面構造を示す図である。
【図１４】図１４は、実施形態４にかかるフィルタ部の概略構成例を示す断面図である。
【図１５】図１５は、実施形態５にかかるフィルタ部の概略構成例を示す断面図である。
【図１６】図１６は、実施形態６にかかるフィルタ部の概略構成例を示す断面図である。
【図１７】図１７は、実施形態６にかかるフィルタ構造体を溶射によって製造する製造工程の一例を示すフローチャートである。
【図１８】図１８は、図１７に示す製造工程の過程を説明するためのプロセス断面図である（１）。
【図１９】図１９は、図１７に示す製造工程の過程を説明するためのプロセス断面図である（２）。
【図２０】図２０は、図１７に示す製造工程の過程を説明するためのプロセス断面図である（３）。
【図２１】図２１は、図１７に示す製造工程の過程を説明するためのプロセス断面図である（４）。
【図２２】図２２は、図１７に示す製造工程の過程を説明するためのプロセス断面図である（５）。
【図２３】図２３は、図１７に示す製造工程の過程を説明するためのプロセス断面図である（６）。
【実施形態】
【０００９】
内容
１．概要
２．極端紫外光生成装置の全体説明
２．１  構成
２．２  動作
３．用語の説明
３．１  上記２．の用語説明
３．２  開示毎の独自用語説明
４．ターゲット生成装置
４．１  構成
４．２  動作
５．フィルタ部
５．１  構成
５．２  動作
５．３  課題
６．実施形態１
６．１  構成
６．２  作用
７．実施形態１の変形例
７．１  構成
７．１．１  第１変形例
７．１．２  第２変形例
７．１．３  その他の変形例
７．２  作用
８．実施形態２
８．１  構成
８．２  作用
９．実施形態２の変形例
９．１  構成
９．１．１  第１変形例
９．１．２  第２変形例
９．２  作用
１０．実施形態３
１０．１  構成
１０．２  作用
１１．実施形態４
１１．１  構成
１１．２  作用
１２．実施形態５
１２．１  構成
１２．２  作用
１３．実施形態６
１３．１  構成
１３．２  作用
１４．構成材料
１４．１  ソケット・キャップ材料
１４．２  フィルタ材料
１５．溶射によるフィルタ構造体の製造工程
【００１０】
以下、本開示の実施形態について、図面を参照しながら詳しく説明する。以下に説明される実施形態は、本開示のいくつかの例を示すものであって、本開示の内容を限定するものではない。また、各実施形態で説明される構成及び動作の全てが本開示の構成及び動作として必須であるとは限らない。なお、同一の構成要素には同一の参照符号を付して、重複する説明を省略する。
【００１１】
１．概要
本開示の実施形態は、ＥＵＶ光の生成に用いられるターゲット材料の供給に関係するものであって、具体的には、ターゲット材料をＥＵＶ光生成用のチャンバ内に供給するターゲット生成装置に関するものであってよい。ターゲット材料の供給では、ＥＵＶ光を放射するプラズマを生成する領域に正確且つ安定してターゲット材料を供給する必要がある。しかしながら、ターゲット材料に内在するパーティクル等が原因で、プラズマ生成領域へのターゲット材料の供給が不安定になることがある。そこで本開示の以下の実施形態では、ターゲット材料を安定して供給することが可能なターゲット生成装置を例示する。ただし、本開示はこれらの事項に限定されず、ＥＵＶ光の生成に用いられるターゲット材料に関係するあらゆる事項に関連するものであってよい。
【００１２】
２．ＥＵＶ光生成システムの全体説明
２．１  構成
図１に、例示的なＬＰＰ式のＥＵＶ光生成システムの構成を概略的に示す。ＥＵＶ光生成装置１は、少なくとも１つのレーザ装置３と共に用いられてもよい。本願においては、ＥＵＶ光生成装置１及びレーザ装置３を含むシステムを、ＥＵＶ光生成システム１１と称する。図１に示し、かつ、以下に詳細に説明するように、ＥＵＶ光生成装置１は、チャンバ２、ターゲット供給部２６を含んでもよい。チャンバ２は、密閉可能であってもよい。ターゲット供給部２６は、例えば、チャンバ２の壁を貫通するように取り付けられてもよい。ターゲット供給部２６から供給されるターゲット物質の材料は、スズ、テルビウム、ガドリニウム、リチウム、キセノン、又は、それらの内のいずれか２つ以上の組合せを含んでもよいが、これらに限定されない。
【００１３】
チャンバ２の壁には、少なくとも１つの貫通孔が設けられていてもよい。その貫通孔には、ウインドウ２１が設けられてもよく、ウインドウ２１をレーザ装置３から出力されるパルスレーザ光３２が透過してもよい。チャンバ２の内部には、例えば、回転楕円面形状の反射面を有するＥＵＶ集光ミラー２３が配置されてもよい。ＥＵＶ集光ミラー２３は、第１及び第２の焦点を有し得る。ＥＵＶ集光ミラー２３の表面には、例えば、モリブデンとシリコンとが交互に積層された多層反射膜が形成されていてもよい。ＥＵＶ集光ミラー２３は、例えば、その第１の焦点がプラズマ生成領域２５に位置し、その第２の焦点が中間集光点（ＩＦ）２９２に位置するように配置されるのが好ましい。ＥＵＶ集光ミラー２３の中央部には貫通孔２４が設けられていてもよく、貫通孔２４をパルスレーザ光３３が通過してもよい。
【００１４】
ＥＵＶ光生成装置１は、ＥＵＶ光生成制御装置５、ターゲットセンサ４等を含んでもよい。ターゲットセンサ４は、撮像機能を有してもよく、ターゲット２７の存在、軌跡、位置、速度等を検出するよう構成されてもよい。
【００１５】
また、ＥＵＶ光生成装置１は、チャンバ２の内部と露光装置６の内部とを連通させる接続部２９を含んでもよい。接続部２９内部には、アパーチャ２９３が形成された壁２９１が設けられてもよい。壁２９１は、そのアパーチャ２９３がＥＵＶ集光ミラー２３の第２の焦点位置に位置するように配置されてもよい。
【００１６】
さらに、ＥＵＶ光生成装置１は、レーザ光進行方向制御部３４、レーザ光集光ミラー２２、ターゲット２７を回収するためのターゲット回収部２８等を含んでもよい。レーザ光進行方向制御部３４は、レーザ光の進行方向を規定するための光学素子と、この光学素子の位置、姿勢等を調整するためのアクチュエータとを備えてもよい。
【００１７】
２．２  動作
図１を参照に、レーザ装置３から出力されたパルスレーザ光３１は、レーザ光進行方向制御部３４を経て、パルスレーザ光３２としてウインドウ２１を透過してチャンバ２内に入射してもよい。パルスレーザ光３２は、少なくとも１つのレーザ光経路に沿ってチャンバ２内に進み、レーザ光集光ミラー２２で反射されて、パルスレーザ光３３として少なくとも１つのターゲット２７に照射されてもよい。
【００１８】
ターゲット供給部２６は、ターゲット２７をチャンバ２内部のプラズマ生成領域２５に向けて出力するよう構成されてもよい。ターゲット２７には、パルスレーザ光３３に含まれる少なくとも１つのパルスが照射されてもよい。パルスレーザ光が照射されたターゲット２７はプラズマ化し、そのプラズマから放射光２５１が放射され得る。放射光２５１に含まれるＥＵＶ光２５２は、ＥＵＶ集光ミラー２３によって選択的に反射されてもよい。ＥＵＶ集光ミラー２３によって反射されたＥＵＶ光２５２は、中間集光点２９２で集光され、露光装置６に出力されてもよい。なお、１つのターゲット２７に、パルスレーザ光３３に含まれる複数のパルスが照射されてもよい。
【００１９】
ＥＵＶ光生成制御装置５は、ＥＵＶ光生成システム１１全体の制御を統括するよう構成されてもよい。ＥＵＶ光生成制御装置５は、ターゲットセンサ４によって撮像されたターゲット２７のイメージデータ等を処理するよう構成されてもよい。また、ＥＵＶ光生成制御装置５は、例えば、ターゲット２７が出力されるタイミング、ターゲット２７の出力方向等を制御するよう構成されてもよい。さらに、ＥＵＶ光生成制御装置５は、例えば、レーザ装置３の発振タイミング、パルスレーザ光３２の進行方向、パルスレーザ光３３の集光位置等を制御するよう構成されてもよい。上述の様々な制御は単なる例示に過ぎず、必要に応じて他の制御が追加されてもよい。
【００２０】
３．用語の説明
３．１  上記２．の用語説明
本開示において使用される用語について、以下のように定義する。
「ドロップレット」とは、融解したターゲット材料の液滴であってもよい。その形状は、略球形であってもよい。
「プラズマ生成領域」とは、プラズマが生成される空間として予め設定された３次元空間であってもよい。
【００２１】
３．２  開示毎の独自用語説明
以下の説明において、ターゲット生成装置における各部の断面または断面図とは、補足の説明がない限り、そのノズル孔から出力されるドロップレットの軌道を含む面の断面または断面図であってよい。
「緻密体」とは、セラミックスを構成する粒子の方位を揃えることで緻密化された結晶体あるいは単結晶であってもよい。
「積層方向」とは、積層体において層が積み重なっている方向であってよい。
流路の「上流」および「下流」とは、その流路に対して流体を流した場合にその流れにおける「上流」および「下流」に相当してよい。
【００２２】
４．ターゲット生成装置
つづいて、図１に示すターゲット供給部２６を含むターゲット生成装置の一例を、図面を参照して詳細に説明する。
【００２３】
４．１  構成
図２は、図１に示すターゲット供給部２６を含むターゲット生成装置の概略構成例を示す模式図である。図２に示すように、ターゲット生成装置は、ターゲット供給部２６の他に、圧力調節器５２０と、温度可変装置５４０と、制御部５１と、ピエゾ電源５５２とを含んでいてもよい。
【００２４】
ターゲット供給部２６は、タンク部２６０と、フィルタ部３００と、ノズル部２６６と、ピエゾ素子５５１とを含んでいてもよい。
【００２５】
タンク部２６０は、タンク２６１と、蓋２６２とを含んでもよい。タンク部２６０内には、ターゲット材料２７１が貯蔵されてもよい。ターゲット材料２７１は、錫（Ｓｎ）などの金属ターゲットであってもよい。タンク２６１の下部には、チャンバ２（図１参照）内へ突出する円筒状の凸部２６３が設けられていてもよい。この凸部２６３は、タンク２６１と一体形成されてもよいし、別体であってもよい。
【００２６】
タンク２６１および凸部２６３と蓋２６２とフィルタ部３００との材料は、ターゲット材料２７１との反応性が低い材料であってもよい。ターゲット材料２７１との反応性が低い材料は、たとえばモリブデン（Ｍｏ）であってもよい。
【００２７】
凸部２６３の底面には、フィルタ積層体１００を収容するフィルタ部３００が設けられてもよい。凸部２６３およびフィルタ部３００の内部には、タンク２６１からノズル部２６６まで連通する流路が形成されてもよい。この流路は、フィルタ部３００の下面において開口していてもよい。フィルタ部３００の詳細については、後述において触れる。
【００２８】
ノズル部２６６は、フィルタ部３００下面の開口を覆うように設けられてもよい。ノズル部２６６には、ノズル孔２６７が形成されていてもよい。ノズル孔２６７は、フィルタ部３００内の流路と連通していてもよい。ノズル孔２６７の孔径は、たとえば２〜６μｍであってもよい。ノズル部２６６の材料は、モリブデン（Ｍｏ）であってもよい。
【００２９】
圧力調節器５２０は、圧力制御部５２５と、排気装置５２４と、バルブ５２１および５２２と、圧力センサ５２３とを含んでもよい。排気装置５２４は、ガス配管５３１を介して不活性ガスのボンベ５３０に接続されてもよい。ボンベ５３０には、供給するガスの圧力を調節するバルブ５３４が設けられていてもよい。
【００３０】
ガス配管５３１上の２箇所には、バルブ５２１および５２２が設けられてもよい。バルブ５２１および５２２間のガス配管５３１からは、ガス配管５３２が分岐していてもよい。ガス配管５３２は、タンク部２６０内に連通していてもよい。圧力センサ５２３は、ガス配管５３２に対して設けられてもよい。
【００３１】
温度可変装置５４０は、ヒータ５４１と、温度センサ５４２と、ヒータ電源５４３と、温度制御部５４４とを含んでもよい。
【００３２】
ヒータ５４１は、タンク部２６０内のターゲット材料２７１を加熱するように設けられてもよい。ヒータ５４１の設置位置は、タンク２６１の側面外周であってもよい。温度センサ５４２は、タンク部２６０またはタンク部２６０内のターゲット材料２７１の温度を計測するように配置されてもよい。温度センサ５４２の設置位置は、タンク２６１の側面であってもよい。ヒータ電源５４３は、ヒータ５４１に電流を供給してもよい。
【００３３】
制御部５１からの出力信号線は、ピエゾ電源５５２と、温度制御部５４４と、圧力制御部５２５と、ＥＵＶ光生成制御装置５とに接続されてもよい。制御部５１への入力信号線は、温度制御部５４４と、圧力制御部５２５と、ＥＵＶ光生成制御装置５とに接続されてもよい。
【００３４】
４．２  動作
図２に示すターゲット生成装置の制御部５１は、ＥＵＶ光生成制御装置または外部装置の制御部からドロップレット出力準備信号が入ると以下の処理を実行してもよい。
【００３５】
すなわち、制御部５１は、まず、タンク部２６０内のガスを排気するように、圧力調節器５２０を制御してもよい。これに対し、圧力調節器５２０の圧力制御部５２５は、バルブ５２１を閉め且つバルブ５２２を開けた状態で、排気装置５２４を駆動してもよい。
【００３６】
つづいて、制御部５１は、タンク部２６０内のターゲット材料２７１が融解するように、温度可変装置５４０を制御してもよい。これに対し、温度可変装置５４０の温度制御部５４４は、たとえば温度センサ５４２の検出値が所定の温度Ｔｏｐとなるように、ヒータ５４１を駆動してもよい。所定の温度Ｔｏｐは、たとえばターゲット材料２７１として錫（Ｓｎ）を使用した場合、錫の融点（温度２３２℃）以上の温度であってもよい。また、所定の温度Ｔｏｐは、温度範囲であってもよい。温度範囲は、たとえば２４０℃〜２９０℃であってもよい。
【００３７】
つづいて、制御部５１は、温度センサ５４２の検出値が所定時間、所定の温度Ｔｏｐ以上を維持しているか否かを判定し、維持している場合、ＥＵＶ光生成制御装置５または外部装置の制御部にドロップレットの出力準備が完了したことを通知してもよい。
【００３８】
つぎに、制御部５１は、ドロップレット２７の出力を要求するドロップレット出力信号が入力されると、圧力調節器５２０に対して、タンク部２６０内の圧力を所定の圧力Ｐ（例えば１０ＭＰａ（メガパスカル））まで昇圧させるように命令してもよい。この命令に対し、圧力調節器５２０の圧力制御部５２５は、排気装置５２４を停止するとともにバルブ５２２を閉めた状態でバルブ５２１を開くことで、ボンベ５３０からの不活性ガスをタンク部２６０内に導入してもよい。また、圧力制御部５２５は、タンク部２６０内の圧力が所定の圧力Ｐまで上昇すると、つぎに、バルブ５２１および５２２の開閉を調整することで、タンク部２６０内の圧力を所定の圧力Ｐに維持する制御を実行してもよい。タンク部２６０内の圧力が所定の圧力Ｐに維持された状態で、ノズル孔２６７からターゲット材料２７１のジェットが出力されてもよい。
【００３９】
つぎに、制御部５１は、ノズル孔２６７から吐出するターゲット材料２７１のジェットが所定サイズおよび所定周期のドロップレットに変化するように、ピエゾ電源５５２を制御してもよい。その結果、チャンバ内のプラズマ生成領域２５（図１参照）に所望のドロップレットが供給され得る。
【００４０】
５．フィルタ部
つぎに、図２に示すフィルタ部３００について、図面を参照して詳細に説明する。
【００４１】
５．１  構成
図３は、フィルタ部の概略構成例を示す断面図である。
【００４２】
図３に示すように、フィルタ部３００は、フランジ３０１と、フィルタ積層体１００と、フィルタホルダ３１４と、少なくとも１つのシム３０４と、を含んでもよい。
【００４３】
フランジ３０１およびフィルタホルダ３１４の材料は、ターゲット材料２７１との反応性が低い材料であってもよい。ターゲット材料２７１との反応性が低い材料は、たとえばモリブデン（Ｍｏ）であってもよい。また、シム３０４の材料も、ターゲット材料２７１との反応性が低い材料（たとえばＭｏ）であってもよい。
【００４４】
フランジ３０１は、凸部２６３と同径の円筒形状を有してもよい。フランジ３０１は、図示しないボルトによってタンク部２６０の凸部２６３に固定されてもよい。フランジ３０１と凸部２６３との間は、Ｏリング３０４によってシールされてもよい。ただし、Ｏリング３０４は、必須の構成ではない。すなわち、フランジ３０１と凸部２６３との間に面シールが形成される場合、Ｏリング３０４は省略されてもよい。もしくは、フランジ３０１と凸部２６３との間が、Ｏリング３０４によるシールと、面シールとの両方でシールされてもよい。
【００４５】
フランジ３０１内には、凸部２６３内の流路ＦＬ１と連続する流路ＦＬ１が形成されてもよい。フランジ３０１内の流路ＦＬ１には、フィルタ積層体１００を収容するための拡径部が形成されていてもよい。フィルタ積層体１００は、この拡径部にフィルタホルダ３１４および少なくとも１つのシム３０４を用いてガタツキなく収容されてもよい。これにより、フィルタ積層体１００は、その積層方向がフランジ３０１内の流路ＦＬ１の延在方向と実質的に一致するように設けられてもよい。フィルタホルダ３１４およびシム３０４は、円筒またはリング状の形状を有してもよい。
【００４６】
フランジ３０１とフィルタホルダ３１４との接触面は、共に研磨面であってもよい。また、各シム３０４の両面、凸部２６３とシム３０４との接触部およびフィルタホルダ３１４とシム３０４との接触部は、研磨面であってもよい。各研磨面での接触は、面シールを形成してもよい。
【００４７】
フィルタ積層体１００は、ターゲット材料２７１に含まれる酸化錫などのパーティクルを濾し取ってもよい。フィルタ積層体１００は、複数枚のフィルタが積層された構造を有してもよい。図３に示す例では、３枚のフィルタ１０１〜１０３よりなるフィルタ積層体１００が例示されている。
【００４８】
３枚のフィルタ１０１〜１０３は、たとえばタンク部２６０側から順番に、２０μｍ（マイクロメートル）、１０μｍ、６μｍのフィルタ孔径を持っていてもよい。各フィルタ１０１〜１０３は、酸化アルミニウム・二酸化ケイ素系ガラスを骨格とするガラス多孔体などのポーラス材であってもよい。
【００４９】
５．２  動作
フィルタ部３００の動作では、タンク部２６０から流路ＦＬ１に流れ込んだ液状のターゲット材料２７１がフィルタ積層体１００を通過する際に、ターゲット材料２７１に含有していたパーティクルが濾過されてもよい。これにより、ノズル部２６６へ流入するターゲット材料２７１から、ノズル孔２６７の詰まりやドロップレット２７の軌道を不安定にする原因となるパーティクルが除去され得る。
【００５０】
５．３  課題
フィルタとしてポーラス材を用いる場合、組み立て時や加熱・冷却時の熱膨張・収縮で生じる摩擦によって、フィルタの一部が欠損してパーティクルが発生する場合がある。例えばフィルタ１０３から発生したパーティクルは、フィルタ積層体１００で除去できないことがあり得る。このようなパーティクルは、ノズル孔２６７まで到達して、ノズル孔２６７の詰まりやドロップレット２７の軌道を不安定にする原因となり得る。そこで、以下の実施形態では、フィルタ積層体１００に起因したパーティクルの発生を抑制することが可能なフィルタ構造体、ターゲット生成装置およびフィルタ構造体の製造方法を例示する。
【００５１】
６．実施形態１
実施形態１では、フィルタ積層体をフィルタホルダ３１４に装着するための中間部材が設けられてもよい。以下では、この中間部材をソケットと呼ぶ。
【００５２】
６．１  構成
図４は、実施形態１にかかるフィルタ部の概略構成例を示す断面図である。以下の説明では、図３に示すフィルタ部３００の構成と異なる構成について説明する。
【００５３】
図４に示すように、実施形態１にかかるフィルタ部３１０は、図３に示すフィルタ部３００と同様の構成において、フィルタ積層体１００がフィルタ構造体１１０に置き換えられた構成を有してもよい。
【００５４】
フィルタ構造体１１０は、フィルタ積層体１１１と、ソケット１１５とを含んでもよい。
【００５５】
フィルタ積層体１１１は、多層構造を有する円盤状のフィルタであってもよい。この多層構造は、積層成形工程によって形成された構造であってもよい。また、多層構造の層数は３であってもよい。図３には、層１１２〜１１４の３層である場合が示されている。
【００５６】
各層１１２〜１１４は、孔径の異なるポーラス材であってもよい。ポーラス材としては、たとえばアルミナが使用されてもよい。
【００５７】
各層１１２〜１１４の孔径は、ターゲット材料２７１の流れに対して上流（積層方向における上流側ともいう。以下同様。）に位置する層ほど、大きくてもよい。たとえば、ターゲット材料２７１の流れに対して最上流に位置する層１１２の孔径は１２μｍであってもよく、その場合、層１１３の孔径は０．８μｍであってもよい。また、ターゲット材料２７１の流れに対して最下流に位置する層１１４の孔径は、０．２μｍであってもよい。
【００５８】
層１１２〜１１４のうち少なくとも１つは、他の層と比べて厚くてもよい。たとえば層１１２は、他の層１１３および１１４よりも厚くてもよい。その場合、層１１２は、他の層１１３および１１４やフィルタ積層体１１１全体に対する支持体として作用し得る。
【００５９】
また、層１１２〜１１４は、ターゲット材料２７１の流れに対して上流に位置する層ほど、厚くてもよい。層１１２の厚さは２ｍｍ（ミリメートル）であってもよく、その場合、層１１３の厚さは３０μｍであってもよく、また、層１１４の厚さは２０μｍであってもよい。
【００６０】
ソケット１１５は、フィルタ積層体１１１を保持でき、且つ、フィルタホルダ３１４に収まる形状を有してもよい。その際、ソケット１１５とフィルタホルダ３１４との接触部分は、ターゲット材料２７１の漏れを防止するために、ソケット１１５の側面周囲に亘っていてもよい。
【００６１】
ソケット１１５は、フィルタ積層体１１１と同じ材質のバルクで構成された環状部材であってもよい。たとえばソケット１１５は、アルミナ（アルミナセラミック）の緻密体あるいはサファイア単結晶であってもよい。
【００６２】
なお、フィルタ積層体１１１を構成する各層１１２〜１１４の気孔率は、たとえば４０〜５０％であってもよい。これに対し、ソケット１１５の気孔率は、たとえば２％以下であってもよい。
【００６３】
ソケット１１５およびフィルタホルダ３１４それぞれの接触部分は、研磨されていてもよい。それにより、ソケット１１５とフィルタホルダ３１４との間で面シールが形成されてもよい。
【００６４】
フィルタ積層体１１１とソケット１１５とは、接合により一体化されていてもよい。フィルタ積層体１１１およびソケット１１５の材料にアルミナを用いた場合、これらの接合は、熱接合であってもよいし、ガラス接着であってもよい。また、フィルタ積層体１１１とソケット１１５とをアルミナ接着剤で接合した後、焼成することで両者を接合してもよい。
【００６５】
６．２  作用
上記の構成において、フィルタホルダ３１４には、フィルタ積層体１１１とソケット１１５とが接合された状態のフィルタ構造体１１０が装着されてもよい。このように、フィルタ積層体１１１がソケット１１５に予め接合されている場合、フィルタホルダ３１４に対してはソケット１１５が組み付けられ得る。ソケット１１５は、上述したように、たとえば緻密なセラミックスや単結晶で形成され得る。そのため、組み付け時や加熱・冷却時に、フィルタ積層体１１１を構成するポーラス材が摩擦によって欠損することを低減できる。その結果、組み付け時や加熱・冷却時に生じるパーティクルの発生を抑制することができ、それにより、ノズル孔２６７の詰まりやドロップレット軌道の不安定化を抑制することが可能となる。
【００６６】
７．実施形態１の変形例
図５および図６は、図４に示すフィルタ積層体１１１の変形例を示す。なお、以下の説明において、図４に示すフィルタ積層体１１１の構成と異なる構成について説明する。
【００６７】
７．１  構成
７．１．１  第１変形例
図５は、第１変形例にかかるフィルタ積層体の概略構成例を示す断面図である。図５に示すように、フィルタ積層体１１０Ａは、ドーム形状を有する多層構造のフィルタであってもよい。図５において、ターゲット材料２７１の流れに対して最上流に位置する層１１２ａの材料（材質）、孔径、気孔率および厚さは、層１１２と同様であってもよい。同様に、層１１３ａおよび１１４ａの材料（材質）、孔径、気孔率および厚さは、それぞれ層１１３および１１４と同様であってもよい。
【００６８】
７．１．２  第２変形例
図６は、第２変形例にかかるフィルタ積層体の概略構成例を示す断面図である。図６に示すように、フィルタ積層体１１０Ｂは、図５に示すフィルタ積層体１１０Ａのドーム形状に対して、筒状の部分が延長された構成であってもよい。この筒状の部分は、ソケット１１５の内側面から離間していてもよい。層１１２ｂ〜１１４ｂの材料（材質）、孔径、気孔率および厚さは、それぞれ層１１２〜１１４と同様であってもよい。
【００６９】
７．１．３  その他の変形例
フィルタ積層体１１１は、上述した変形例の他にも、たとえば多角錐形状など、種々の形状に変形されてもよい。
【００７０】
７．２  作用
フィルタ積層体１１１をドーム形状や多角錐形状の部材とすることで、濾過面積が拡大し得る。それにより、ターゲット材料２７１が含有するパーティクルの捕集量（または捕集率）が向上され得る。また、濾過面積の拡大により、フィルタ積層体の交換サイクルも長くなり得る。
【００７１】
８．実施形態２
実施形態２では、中空円筒状のフィルタ積層体が用いられてもよい。
【００７２】
８．１  構成
図７は、実施形態２にかかるフィルタ部の概略構成例を示す断面図である。図８は、図７に示すフィルタ構造体の概略構成例を示す斜視図である。図９は、図８に示すフィルタ構造体におけるフィルタ積層体を内部空間の延在方向に対して垂直な面で輪切りにした際の断面構造を示す図である。以下の説明では、図４に示すフィルタ部３１０の構成と異なる構成について説明する。
【００７３】
図７に示すように、実施形態２にかかるフィルタ部３２０は、図４に示すフィルタ部３１０と同様の構成において、フィルタ構造体１１０がフィルタ構造体１２０に置き換えられた構成を有してもよい。
【００７４】
図８に示すように、フィルタ構造体１２０は、フィルタ積層体１２１と、キャップ１２２と、ソケット１２６とを含んでもよい。
【００７５】
図９に示すように、フィルタ積層体１２１は、多層構造を有する中空円筒状のフィルタであってもよい。ターゲット材料２７１の流れに対して最上流の位置となる最外周に位置する層１２３の材料（材質）、孔径、気孔率および厚さは、層１１２と同様であってもよい。同様に、層１２４および１２５の材料（材質）、孔径、気孔率および厚さは、それぞれ層１１３および１１４と同様であってもよい。
【００７６】
また、図８に示すように、中空円筒状であるフィルタ積層体１２１の長手方向における一方の端の開口は、キャップ１２２により封止されていてもよい。キャップ１２２は、フィルタ積層体１２１と同じ材質のバルクで構成された板状部材であってもよい。たとえばキャップ１２２は、アルミナ（アルミナセラミック）の緻密体あるいはサファイア単結晶であってもよい。
【００７７】
ソケット１２６は、フィルタ積層体１２１の長手方向における他方の端に設けられてもよい。ソケット１２６は、フィルタ積層体１２１を保持でき、且つ、フィルタホルダ３１４に隙間なく収まる形状を有してもよい。ソケット１２６の材質は、実施形態１におけるソケット１１５と同じであってもよい。
【００７８】
ソケット１２６およびフィルタホルダ３１４それぞれの接触部分は、研磨されていてもよい。それにより、ソケット１２６とフィルタホルダ３１４との間で面シールが形成されてもよい。
【００７９】
フィルタ積層体１２１とキャップ１２２、および、フィルタ積層体１２１とソケット１２６は、それぞれ接合によって一体化されていてもよい。それぞれの接合は、実施形態１において例示したフィルタ積層体１１１とソケット１１５との接合と同様であってもよい。
【００８０】
また、図７に示すように、以上の構成を備えるフィルタ構造体１２０は、キャップ１２２側がタンク部２６０側の流路ＦＬ１に突出するように、フィルタホルダ３１４に組み付けられてもよい。
【００８１】
８．２  作用
実施形態１と同様、フィルタ積層体１１１とソケット１１５とが接合された状態のフィルタ構造体１１０をフィルタホルダ３１４に装着することが可能となるため、組み付け時や加熱・冷却時に生じるパーティクルの発生を抑制することができる。それにより、ノズル孔２６７の詰まりやドロップレット軌道の不安定化を抑制することが可能となる。
【００８２】
９．実施形態２の変形例
実施形態２にかかるフィルタ積層体１２１の形状は、中空円筒形状に限られない。以下に、その変形例を示す。
【００８３】
９．１  構成
９．１．１  第１変形例
図１０は、第１変形例にかかるフィルタ積層体を内部空間の延在方向に対して垂直な面で輪切りにした際の断面形状を示す図である。図１０に示すように、フィルタ積層体１２１Ａは、中央にターゲット材料２７１の流路を含む正六角形の断面形状を有してもよい。ただし、正六角形に限られるものではなく、種々の多角形状であってもよい。また、最外周の層１２３ａの外輪郭形状と、内周の層１２４ａおよび１２５ａとの外輪郭形状とは、相似の関係である必要はない。すなわち、断面形状は、層１２３〜１２５ごとに異なる形状であってもよい。なお、層１２３ａ〜１２５ａの材料（材質）、孔径、気孔率および厚さは、それぞれ層１１２〜１１４と同様であってもよい。
【００８４】
９．１．２  第２変形例
図１１は、第２変形例にかかるフィルタ積層体を内部空間の延在方向に対して垂直な面で輪切りにした際の断面形状を示す図である。図１１に示すように、フィルタ積層体１２１Ｂは、最外周の層１２３ｂの外輪郭形状が凹凸を繰り返す鋸歯（セラー）形状を有してもよい。中央には、ターゲット材料２７１の流路が設けられていてもよい。なお、最外周の層１２３ａの外輪郭形状と、内周の層１２４ａおよび１２５ａとの外輪郭形状とは、相似の関係である必要はない。また、層１２３ｂ〜１２５ｂの材料（材質）、孔径、気孔率および厚さは、それぞれ層１１２〜１１４と同様であってもよい。
【００８５】
９．２  作用
以上のように、フィルタ積層体を輪切りにした際の断面形状における外輪郭の周長が長くなるように断面形状を変更することで、パーティクルの捕集量（捕集率）をさらに向上することが可能な場合がある。なお、フィルタ積層体の断面形状は、その製造方法によって適宜変更されてもよい。たとえば図１０を用いて例示したような多角形状のフィルタ積層体１２１Ａは、板状の部材を複数組み合わせることでも製造することができる。また、フィルタ積層体の一方の端の開口を封止するキャップの形状は、フィルタ積層体の断面形状に合わせて適宜変更されてもよい。
【００８６】
１０．実施形態３
実施形態２の構成において、中空円筒状のフィルタ積層体は、タンク部２６０側ではなく、ノズル部２６６側に突出していてもよい。
【００８７】
１０．１  構成
図１２は、実施形態３にかかるフィルタ部の概略構成例を示す断面図である。図１３は、図１２に示すフィルタ部におけるフィルタ積層体を内部空間の延在方向に対して垂直な面で輪切りにした際の断面構造を示す図である。以下の説明では、図７に示すフィルタ部３２０の構成と異なる構成について説明する。
【００８８】
図１２に示すように、実施形態３にかかるフィルタ部３３０は、図７に示すフィルタ部３１０と同様の構成において、フィルタ構造体１２０がフィルタ構造体１３０に置き換えられた構成を有してもよい。フィルタ構造体１３０は、フィルタ積層体１３１以外の部分において、フィルタ構造体１２０を上下反転させた構成であってもよい。
【００８９】
図１３に示すように、フィルタ積層体１３１は、フィルタ積層体１２１と同様、多層構造を有する中空円筒状のフィルタであってもよい。ただし、ターゲット材料２７１の流れに対する上流と下流との位置関係が反対となるため、フィルタ積層体１３１を構成する層１３３〜１３５のうち、最内周に位置する層１３３が最上流に位置し、最外周に位置する層１３５が最下流に位置してもよい。各層１３３〜１３５の材料（材質）、孔径、気孔率および厚さは、それぞれ層１１２〜１１４と同様であってもよい。
【００９０】
１０．２  作用
実施形態３にかかる構成によっても、実施形態２と同様の作用により、同様の効果を得ることが可能である。
【００９１】
１１．実施形態４
上述の実施形態において、フィルタホルダとソケットとは、一体化されてもよい。以下の説明では、図７に示すフィルタ部３２０をベースとし、この構成と異なる構成について説明する。ただし、実施形態４で例示するフィルタホルダとソケットとの一体化は、他の実施形態に対しても適用可能であってよい。
【００９２】
１１．１  構成
図１４は、実施形態４にかかるフィルタ部の概略構成例を示す断面図である。図１４に示すように、実施形態４にかかるフィルタ部３４０では、図７に示したフィルタホルダ３１４とソケット１２６とが、一体化されたソケット１４４に置き換えられている。
【００９３】
ソケット１４４は、フィルタ積層体１２１を保持でき、且つ、フランジ３０１内に収まる形状を有してもよい。その際、ソケット１４４とフランジ３０１との接触部分は、ターゲット材料２７１の漏れを防止するために、ソケット１４４の側面周囲に亘っていてもよい。
【００９４】
ソケット１４４は、フィルタ積層体１２１と同じ材質のバルクで構成された環状部材であってもよい。たとえばソケット１４４は、アルミナ（アルミナセラミック）の緻密体あるいはサファイア単結晶であってもよい。
【００９５】
ソケット１４４およびフランジ３０１の接触部分は、それぞれ研磨されていてもよい。それにより、ソケット１４４とフランジ３０１との間で面シールが形成されてもよい。
【００９６】
フィルタ積層体１２１とソケット１４４とは、接合により一体化されていてもよい。フィルタ積層体１２１にアルミナを用い、ソケット１４４の材料にアルミナあるいはサファイア単結晶を用いた場合、これらの接合は、熱接合であってもよいし、ガラス接着であってもよい。また、フィルタ積層体１２１とソケット１４４とをアルミナ接着剤で接合した後、焼成することで両者を接合してもよい。
【００９７】
ソケット１４４には、シム３０４を収容するための溝が形成されていてもよい。フランジ３０１とソケット１４４との接触面は、各々研磨面であってもよい。また、ソケット１４４とシム３０４との接触部は、各々研磨面であってもよい。各研磨面での接触は、面シールを形成してもよい。ただし、ソケット１４４と凸部２６３との間で面シールが形成される場合、シム３０４は省略されてもよい。
【００９８】
１１．２  作用
実施形態４によれば、上述した実施形態による効果に加え、フィルタホルダおよびソケットからなる部品を１つのソケットに置き換えることが可能となる。それにより、フィルタ構造体の構成を簡素化することが可能となる。その結果、フィルタ構造体の製造コストを削減することも可能となる。
【００９９】
１２．実施形態５
上述の実施形態において、ソケットは、溶射によって形成されてもよい。以下の説明では、図４に示すフィルタ部３１０においてフィルタホルダ３１４とソケット１１５とが一体化された構成をベースとし、この構成においてソケットを溶射によって形成する場合を例示する。ただし、実施形態５で例示するソケットの溶射による形成は、他の実施形態に対しても適用可能であってよい。
【０１００】
１２．１  構成
図１５は、実施形態５にかかるフィルタ部の概略構成例を示す断面図である。図１５に示すように、実施形態５にかかるフィルタ部３５０では、図４に示すフィルタ部３１０と同様の構成において、フィルタ構造体１１０およびフィルタホルダ３１４がフィルタ構造体１５０に置き換えられた構成を有してもよい。
【０１０１】
すなわち、フィルタホルダ３１４とソケット１１５とが、一体化されたソケット１５６に置き換えられてもよい。また、フィルタ積層体１１１が、フィルタ積層体１５１に置き換えられてもよい。
【０１０２】
フィルタ積層体１５１は、それぞれ異なる円盤状の部材である第１フィルタ１５２〜第３フィルタ１５４が重ねられた構造を有してもよい。各フィルタ１５２〜１５４の形状、材料（材質）、孔径、気孔率および厚さは、それぞれ層１１２〜１１４と同様であってもよい。ただし、フィルタ積層体１５１の代わりに、フィルタ積層体１００など、他のフィルタ積層体が用いられてもよい。
【０１０３】
ソケット１５６は、フィルタ積層体１５１に対して溶射によって形成された部材であってもよい。ソケット１５６を溶射によって形成することで、複数枚のフィルタ１５２〜１５４を一体的に保持しつつフィルタ構造体１５０を製造することが可能となる。なお、溶射によるフィルタ構造体１５０の製造工程について、後述する。
【０１０４】
ソケット１５６は、フィルタ積層体１５１を保持でき、且つ、フランジ３０１内に収まる形状を有してもよい。その際、ソケット１５６とフランジ３０１との接触部分は、ターゲット材料２７１の漏れを防止するために、ソケット１５６の側面周囲に亘っていてもよい。
【０１０５】
ソケット１５６の材料は、フランジ３０１と同様、ターゲット材料２７１との反応性が低い材料（たとえばＭｏ）であってもよい。
【０１０６】
ソケット１５６およびフランジ３０１の接触部分は、それぞれ研磨されていてもよい。それにより、ソケット１５６とフランジ３０１との間で面シールが形成されてもよい。また、ソケット１５６と凸部２６３との接触部分も、それぞれ研磨されていてもよい。それにより、ソケット１５６と凸部２６３との間で面シールが形成されてもよい。その場合、ソケット１５６と凸部２６３との間のシム３０４を省略することができる。
【０１０７】
１２．２  作用
ソケット１５６を溶射によって形成することでソケット１５６とフィルタ積層体１５１とを一体化させる場合、ソケット１５６の材料（材質）を選択する際に、フィルタ積層体１５１の材料（材質）を考慮しなくてもよい。そのため、ソケット１５６の材料（材質）として、フランジ３０１の材料（材質）と同じものを選択することができる。ソケット１５６の材料（材質）とフランジ３０１の材料（材質）とを同じにすることで、組み付け時や加熱・冷却時の熱膨張差によって生じる応力を低減することができる。その結果、組み付け時や加熱・冷却時に生じるパーティクルの発生を抑制することができ、それにより、ノズル孔２６７の詰まりやドロップレット軌道の不安定化を抑制することが可能となる。
【０１０８】
１３．実施形態６
上述の実施形態において、フィルタ積層体は、剛性を高めるための支持プレートを含んでもよい。以下の説明では、図１５に示すフィルタ部３５０をベースとし、この構成と異なる構成について説明する。ただし、実施形態６で例示する支持プレートは、他の実施形態に対しても適用可能であってよい。
【０１０９】
１３．１  構成
図１６は、実施形態６にかかるフィルタ部の概略構成例を示す断面図である。図１６に示すように、実施形態６にかかるフィルタ部３６０では、図１５に示すフィルタ部３５０において、ソケット１５６が支持プレート１６５をさらに保持していてもよい。
【０１１０】
支持プレート１６５は、たとえば第１フィルタ１５２〜第３フィルタ１５４と同径の円盤状の板部材であってもよい。支持プレート１６５の材料は、ターゲット材料２７１との反応性が低い材料（たとえばＭｏ）であってもよいし、ガラス等でもよい。
【０１１１】
支持プレート１６５の中央には、複数の貫通孔が形成されていてもよい。貫通孔の数は、たとえば１０〜１００個であってもよい。また、各貫通孔の孔径は、たとえば約１００〜１５００μｍであってもよい。
【０１１２】
１３．２  作用
フィルタ積層体１５１を支持プレート１６５で支持することで、フィルタ構造体１６０の剛性を高めることが可能となる。それにより、たとえばタンク部２６０内のターゲット材料２７１に比較的高い圧力をかけた場合でも、フィルタ積層体１５１の破損を抑制することが可能となる。
【０１１３】
１４．構成材料
上述した実施形態では、フィルタ積層体、ソケットおよびキャップの材料として、アルミナ（またはアルミナセラミックス）あるいはサファイア単結晶を例示した。ここでは、その他の材料を例示する。
【０１１４】
１４．１  ソケット・キャップ材料
ソケットおよびキャップの材料は、以下の条件１および２を満たす材料であることが望ましい。
（１）溶融したターゲット材料２７１（たとえば錫）との反応性が低い材料であること
（２）フランジ３０１との熱膨張係数の差が小さいこと
【０１１５】
条件１を満たす材料の一部の例を、以下の表１に示す。
【表１】
2016071972.tif 000003
【０１１６】
また、上述したように、フランジ３０１の材質として使用される金属材料は、ターゲット材料（たとえば錫）との反応性の低いモリブデン（Ｍｏ）であってもよい。そこで、ソケットの材料としては、モリブデンとの熱膨張係数の差が小さい材料が、たとえば上記表１の中から選択されてもよい。なお、モリブデンとの熱膨張係数の差が小さいとは、たとえばモリブデンの熱膨張係数に対して±２０％の範囲内に収まっていることであってもよい。そのような材料としては、炭化珪素、炭化タングステン、窒化アルミニウム、ホウ化ジルコニウム、および、炭化ホウ素が、上記表１に列挙されている。
【０１１７】
１４．２  フィルタ材料
フィルタ積層体の材料は、ソケットに用いた材料とは構造が異なる同じ材料であってもよいが、異なる材料であってもよい。フィルタ積層体の材料は、上述したソケットおよびキャップの材料に対する条件１および２に加え、以下の条件３および４を満たす材料であることが望ましい。
（３）ポーラス構造を形成可能な材料であること
（４）ソケットやキャップに用いた材料と接合可能な材料であること
【０１１８】
フィルタ積層体の材料としては、上記の条件１〜４を満足する材料が表１から選択されてもよいし、条件１〜４を満たし且つ特性の近い他の材料が選択されてもよい。
【０１１９】
１５．溶射によるフィルタ構造体の製造工程
つぎに、実施形態５または６で例示した溶射によるフィルタ構造体の製造工程について、図面を用いて詳細に説明する。ただし、以下の説明では、実施形態６で例示したフィルタ構造体１６０の製造工程を例示する。
【０１２０】
図１７は、溶射によるフィルタ構造体の製造工程の一例を示すフローチャートである。図１８〜図２３は、図１７に示す製造工程の過程を説明するための主要なプロセスにおけるフィルタ構造体１６０の断面図である。
【０１２１】
図１７に示すように、フィルタ構造体１６０の製造工程では、マスキング材１００６を有する支持プレート１６５、第３フィルタ１５４、第２フィルタ１５３、および、マスキング材１００３を有する第１フィルタ１５２を、接着剤にて接合してもよい（ステップＳ１０１）。その際、図１８に示すように、第３冶具１００７を支持体として用いてもよい。また、接着剤には、シアノアクリレート系接着剤が用いられてもよい。ただし、溶剤等で除去可能な接着剤であれば、他の接着剤が用いられてもよい。これにより、第１フィルタ１５２〜第３フィルタ１５４よりなるフィルタ積層体１５１に支持プレート１６５が接着されたフィルタ組立体１６１（図１８参照）が作成されてもよい。このフィルタ組立体１６１には、マスキング材１００３および１００６が含まれてもよい。
【０１２２】
つぎに、図１９に示すように、フィルタ組立体１６１の外側全体にソケット材料を溶射して溶射部１００８を形成してもよい（ステップＳ１０２）。ソケット材料は、モリブデンであってもよい。また、溶射されたソケット材料の厚さは、最も厚い部分でたとえば５００μｍ程度であってもよい。
【０１２３】
つぎに、図２０に示すように、溶射部１００８の外周を機械的に加工してもよい（ステップＳ１０３）。加工後の溶射部１００９の外径は、完成したフィルタ構造体１６０における同部材の外径と同じであってもよい。
【０１２４】
つぎに、図２１に示すように、フランジ３０１にフィルタ構造体１６０を係止するためのリング部材１０１０を溶射部１００９に溶接してもよい（ステップＳ１０４）。
【０１２５】
つぎに、図２２に示すように、保持部１００９の外形を機械的に加工してもよい（ステップＳ１０５）。これにより、フィルタ組立体１６１におけるマスキング材１００３および１００６がそれぞれ露出してもよい。
【０１２６】
つぎに、溶接したリング部材１０１０におけるフランジ３０１や凸部２６３との接触予定部分を研磨してもよい（ステップＳ１０６）。
【０１２７】
つぎに、図２３に示すように、露出したマスキング材１００３および１００６を溶剤で除去してもよい（ステップＳ１０７）。これにより、フィルタ構造体１６０の構造が得られてもよい。つぎに、接着剤を溶剤で除去してもよい（ステップＳ１０８）。
【０１２８】
つぎに、フィルタ構造体１６０を純水等で洗浄し（ステップＳ１０９）、洗浄後のフィルタ構造体１６０に残存するパーティクルを計測してもよい（ステップＳ１１０）。フィルタ構造体１６０の洗浄は、計測されたパーティクルの量があらかじめ定めておいた許容範囲内に収まるまで（ステップＳ１１１；ＹＥＳ）、繰り返し実行されてもよい（ステップＳ１１１；ＮＯ）。
【０１２９】
上記の説明は、制限ではなく単なる例示を意図したものである。従って、添付の特許請求の範囲を逸脱することなく本開示の実施形態に変更を加えることができることは、当業者には明らかであろう。
【０１３０】
本明細書及び添付の特許請求の範囲全体で使用される用語は、「限定的でない」用語と解釈されるべきである。例えば、「含む」又は「含まれる」という用語は、「含まれるものとして記載されたものに限定されない」と解釈されるべきである。「有する」という用語は、「有するものとして記載されたものに限定されない」と解釈されるべきである。また、本明細書、及び添付の特許請求の範囲に記載される不定冠詞「１つの」は、「少なくとも１つ」又は「１又はそれ以上」を意味すると解釈されるべきである。
【符号の説明】
【０１３１】
２６…ターゲット供給部、２７…ドロップレット、１１０，１１０Ａ，１１０Ｂ，１２０，１３０，１５０，１６０…フィルタ構造体、１１１，１２１，１２１Ａ，１２１Ｂ，１３１，１５１…フィルタ積層体、１１２，１１２ａ，１１２ｂ，１１３，１１３ａ，１１３ｂ，１１４，１１４ａ，１１４ｂ，１２３，１２３ａ，１２３ｂ，１２４，１２４ａ，１２４ｂ，１２５，１２５ａ，１２５ｂ，１３３，１３４，１３５…層、１１５，１２６，１４４，１５４…ソケット、１２２…キャップ、１５２，１５３，１５４…フィルタ、１６５…支持プレート、２６０…タンク部、２６１…タンク、２６２…蓋、２６３…凸部、２６６…ノズル部、２６７…ノズル孔、２７１…ターゲット材料、３０１…フランジ、３０４…シム、３１０，３２０，３３０，３４０，３５０，３６０…フィルタ部、３１４…フィルタホルダ
【図１】
2016071972.tif 000004
【図２】
2016071972.tif 000005
【図３】
2016071972.tif 000006
【図４】
2016071972.tif 000007
【図５】
2016071972.tif 000008
【図６】
2016071972.tif 000009
【図７】
2016071972.tif 000010
【図８】
2016071972.tif 000011
【図９】
2016071972.tif 000012
【図１０】
2016071972.tif 000013
【図１１】
2016071972.tif 000014
【図１２】
2016071972.tif 000015
【図１３】
2016071972.tif 000016
【図１４】
2016071972.tif 000017
【図１５】
2016071972.tif 000018
【図１６】
2016071972.tif 000019
【図１７】
2016071972.tif 000020
【図１８】
2016071972.tif 000021
【図１９】
2016071972.tif 000022
【図２０】
2016071972.tif 000023
【図２１】
2016071972.tif 000024
【図２２】
2016071972.tif 000025
【図２３】
2016071972.tif 000026
【手続補正書】
【提出日】平成27年11月18日(2015.11.18)
【手続補正１】
【補正対象書類名】特許請求の範囲
【補正対象項目名】全文
【補正方法】変更
【補正の内容】
【特許請求の範囲】
【請求項１】
ポーラス材からなるフィルタと、前記フィルタと接合によって一体化されたソケットとを含むフィルタ構造体と、
前記フィルタ構造体を収容し、内部に前記フィルタ構造体を通過する流路が存在するフランジと、
内部に前記フランジ内の前記流路と連通し且つ所定のターゲット材料が貯留される空間が存在するタンク部と、
前記フランジに設けられ、前記フランジ内の前記流路を介して前記タンク部内の前記空間と連通するノズル部と、
を備え、
前記フィルタの気孔率は、前記ソケットの気孔率より大きい、
ターゲット生成装置。
【請求項２】
前記フィルタと前記ソケットとは、熱接合により一体化されている、請求項１に記載のターゲット生成装置。
【請求項３】
前記フィルタと前記ソケットとは、ガラス接着により一体化されている、請求項１に記載のターゲット生成装置。
【請求項４】
前記ソケットは、前記フィルタに溶射されることで一体化されている、請求項１に記載のターゲット生成装置。
【請求項５】
前記フィルタと前記ソケットとは、略等しい熱膨張係数を持つ材料で構成されている、請求項１に記載のターゲット生成装置。
【請求項６】
前記フィルタと前記ソケットとは、同じ材料から構成されている、請求項１に記載のターゲット生成装置。
【請求項７】
前記フィルタは、アルミナで構成され、
前記ソケットは、アルミナの緻密体あるいはサファイアの単結晶で構成されている、
請求項１に記載のターゲット生成装置。
【請求項８】
前記ソケットは、モリブデンおよびタングステンのうち少なくともいずれかを含む材料で形成され、
前記フィルタは、酸化アルミニウム・二酸化ケイ素系ガラスを骨格とするガラス多孔体で構成されている、
請求項１に記載のターゲット生成装置。
【請求項９】
前記フィルタは、孔径が異なる複数の層を含む積層体である、請求項１に記載のターゲット生成装置。
【請求項１０】
前記複数の層のうち、積層方向における一方の側に位置する層の孔径が最も大きく、前記積層方向における他方の側に位置する層の孔径が最も小さい、請求項９に記載のターゲット生成装置。
【請求項１１】
前記フィルタは、孔径が異なる複数のフィルタが重ねられた積層体である、請求項１に記載のターゲット生成装置。
【請求項１２】
前記フィルタは、円盤形状を有する、請求項１に記載のターゲット生成装置。
【請求項１３】
前記フィルタは、ドーム形状を有する、請求項１に記載のターゲット生成装置。
【請求項１４】
前記フィルタは、長手方向の両端で開口する中空形状を有し、
前記長手方向の一方の端の開口を封止するキャップをさらに備え、
前記ソケットは、前記長手方向の他方の端に設けられている、
請求項１に記載のターゲット生成装置。
【請求項１５】
前記フィルタの前記長手方向と垂直方向の断面形状は、円形状である、請求項１４に記載のターゲット生成装置。
【請求項１６】
前記フィルタの前記長手方向と垂直方向の断面形状は、多角形状または鋸歯形状である、請求項１４に記載ターゲット生成装置。
【請求項１７】
（削除）
【請求項１８】
前記フィルタは、孔径が異なる複数の層を含む積層体であり、
前記フランジは、前記フィルタの積層方向が前記フランジ内の前記流路の延在方向と実質的に一致するように、前記フィルタを保持し、
前記複数の層のうち、前記流路に沿って最も前記タンク部側に位置する層の孔径が最も大きく、前記流路に沿って最も前記ノズル部側に位置する層の孔径が最も小さい、
請求項１に記載のターゲット生成装置。
【請求項１９】
ポーラス材からなるフィルタを備え、ターゲット生成装置に用いられるフィルタ構造体の製造方法であって、
一部にマスキング材が形成された前記フィルタを重ねて配置する工程と、
前記マスキング材が形成された前記フィルタの周囲に前記フィルタと熱膨張係数が略等しい材料を溶射する工程と、
前記材料を加工して前記マスキング材の一部を露出させる工程と、
前記マスキング材を除去する工程と、
を含む、製造方法。
【国際調査報告】
2016071972.tif 000027
2016071972.tif 000028
2016071972.tif 000029
2016071972.tif 000030
2016071972.tif 000031
2016071972.tif 000032